(57)【要約】      （修正有）【課題】ＬＥＤ素子における発熱に伴って発生する熱を管状体の内部に滞留させることなく効果的に外部に逃がすことができ、長寿命化を図ることが可能な直管型ＬＥＤランプを提供する。【解決手段】直管型ＬＥＤランプ１０は、ＬＥＤ素子２４を実装した発光構造体２０を管状体３０の内側において支持する長尺状の土台３４を有する。土台３４は、基板２２をスライドして挿入可能でかつ基板２２の短手方向一端側及び他端側を挟持する挟持部４４と、挟持部４４により挟持された基板２２の裏面に面接触する基板接触部４２と、を有する。【選択図】図１
0003178712.tif 000002
【実用新案登録請求の範囲】
【請求項１】
長尺状の基板の表面に少なくとも一つのＬＥＤ素子を取り付けた発光構造体を管状体の内部に収容した直管型ＬＥＤランプであって、
前記発光構造体を前記管状体の内側に支持する長尺状の土台を有し、
前記土台が、前記土台の長手方向一端側及び／又は他端側から前記基板をスライド挿入可能でかつ前記基板の短手方向一端側及び他端側を挟持する挟持部と、前記挟持部により挟持された前記基板の裏面が面接触する基板接触部と、を有すること、
を特徴とする直管型ＬＥＤランプ。
【請求項２】
前記管状体の長手方向一端側及び他端側に、それぞれ端子を備えた端子接続部が設けられており、
前記管状体が、前記端子接続部に対して相対回転可能であること、
を特徴とする請求項１に記載の直管型ＬＥＤランプ。
【請求項３】
前記基板が、短手方向中間部において屈曲あるいは湾曲した形状であること、
を特徴とする請求項１又は２に記載の直管型ＬＥＤランプ。
【請求項４】
前記ＬＥＤ素子が発する光の明るさを調整する調光装置及び／又は前記ＬＥＤ素子が発する光の色を調整する調色装置を備えていること、
を特徴とする請求項１〜３のいずれかに記載の直管型ＬＥＤランプ。
【請求項５】
交流電流を直流電流に変換して前記ＬＥＤ素子に供給可能な変換装置が、前記管状体に内蔵されていること、
を特徴とする請求項１〜４のいずれかに記載の直管型ＬＥＤランプ。
【考案の詳細な説明】
【技術分野】
【０００１】
本考案は、蛍光灯の代替品として有望視されている直管型ＬＥＤランプに関する。
【背景技術】
【０００２】
従来、家庭はもとよりオフィスやショッピングモール等の多くの場所において照明用器具として一般的に使用されている直管型蛍光灯は、内壁に蛍光物質を塗布したガラス管と、両端に取り付けられた電極（フィラメント）と、で構成されている。ガラス管は、空気を抜き真空にされており、少量の水銀とアルゴン等のガスが封入されている。
【０００３】
このような直管型蛍光灯は放電灯の一種であり、電極間に電圧がかかると電流が流れて加熱された一方の電極から熱電子が放出し、放電が開始されて点灯する。より具体的には、一方の電極から放出して他方の電極に向かって飛び出した熱電子が、ガラス管内で蒸発して気体となっている水銀電子に衝突し、この衝突によって水銀電子が紫外線を発生する。そして、この紫外線がガラス管内に塗布された蛍光物質にあたることにより、可視光が発生して点灯するのである。
【０００４】
ところが、このような直管型蛍光灯は消費電力が多いとともに寿命が短いという問題がある。また、直管型蛍光灯は、環境や人体に悪影響を与え得る蛍光体を含んでいるという問題がある。更に、直管型蛍光灯の点灯に使用される交流電源は一定の周波数を有することから、光に微弱な揺れを有し、人の眼や脳に悪影響を及ぼすとも言われている。このため、環境保護及び人体に対する安全性の観点から、かかる直管型蛍光灯の代替品として例えば下記特許文献１，２に開示されているような直管型ＬＥＤランプが提案されている。
【０００５】
下記特許文献１に記載の考案は、既存の蛍光灯照明器具ソケットの没入端面部の直径サイズに関わりなく、どのような直径サイズのものにでも対応できる端子部構造を提供することを意図するものである。本考案に係る直管型ＬＥＤ蛍光灯においては、細長板状基板に複数のＬＥＤ（発光ダイオード）素子を列設した構造とされている。また、この直管型ＬＥＤ蛍光灯は、一般蛍光灯照明器具の両端部のソケットに適合する２本のピン端子を両端部に設けた構造とされている。
【０００６】
また、下記特許文献２の発明は、より広い範囲に光を照射する直管型照明装置を提供することを意図したものである。この直管型照明装置は、ポリカーボネート製のポリカ管の内壁面に設けられたレールを介して連結部材を固定し、連結部材に設けられた基板ガイドにＬＥＤを装着した基板を保持させた構成とされている。
【先行技術文献】
【特許文献】
【０００７】
【特許文献１】実用新案登録第3142652号公報
【特許文献１】特開2012−4093号公報
【考案の概要】
【考案が解決しようとする課題】
【０００８】
ここで、一般的に、直管型ＬＥＤ蛍光灯では、発光に伴ってＬＥＤ素子及びこれに付随する電子部品等が熱を発生する。しかしながら、上記特許文献１，２に記載のような一般構造の直管型ＬＥＤ蛍光灯では、発光に伴って発生した熱を外部に放出するための有効な方策が採られていない。
【０００９】
具体的には、上記特許文献１の直管型ＬＥＤ蛍光灯においては、基板の背面側にヒートシンクを固定することで放熱を促進させようとしている。しかしながら、基板を粘着テープあるいは接着剤等を用いてヒートシンク等の他部材に固定すると、発熱に伴い粘着テープあるいは接着剤によって形成された接着層の一部が剥離する等して波打った状態になる。このような状態になると、ヒートシンク等の他部材と基板との間における接触面積が小さくなって伝熱抵抗が高くなるばかりか、伝熱ムラが生じてしまう。したがって、従来技術の直管型ＬＥＤ蛍光灯においては、接着層の剥離等に伴う放熱特性の低下によって直管内に熱がこもり、ＬＥＤ素子をはじめとする構成部材の熱変形あるいは損傷が生じてしまい、ひいては直管型ＬＥＤ蛍光灯の寿命が短くなってしまうという問題がある。
【００１０】
また、特許文献２の直管型照明装置においては、発光に伴って発生した熱を外部に放出することについて、何ら方策が講じられていない。また、この直管型照明装置では、発光に伴って発生した熱が、溝状に形成された連結部材と基板とによって形成された狭小な空間内にこもってしまい、外部に放出できない可能性が高い。したがって、特許文献２の直管型照明装置についても、発光に伴い発生する熱により、ＬＥＤ素子をはじめとする構成部材の熱変形あるいは損傷が生じ、直管型照明装置の寿命が短くなる原因となりうるという問題がある。
【００１１】
そこで本考案は、ＬＥＤ素子における発熱に伴って発生する熱を管状体の内部に滞留させることなく効果的に外部に逃がすことができ、長寿命化を図ることが可能な直管型ＬＥＤランプの提供を目的とした。
【課題を解決するための手段】
【００１２】
上述した課題を解決すべく、本考案は、長尺状の基板の表面に少なくとも一つのＬＥＤ素子を取り付けた発光構造体を管状体の内部に収容した直管型ＬＥＤランプであって、前記発光構造体を前記管状体の内側に支持する長尺状の土台を有し、前記土台が、前記土台の長手方向一端側及び／又は他端側から前記基板をスライド挿入可能でかつ前記基板の短手方向一端側及び他端側を挟持する挟持部と、前記挟持部により挟持された前記基板の裏面に面接触する基板接触部と、を有していること、を特徴とする直管型ＬＥＤランプに関する。
【００１３】
上記本考案の直管型ＬＥＤランプにおいては、前記挟持部が、前記管状体の長手方向に向けて延び、対向した一対の溝によって構成されており、前記一対の溝に対して前記基板の短手方向一端側及び他端側を嵌め込むことにより前記基板を挟持可能なものであること、が好ましい。
【００１４】
上記本考案の直管型ＬＥＤランプにおいては、前記基板接触部が、前記基板よりも熱伝導率が高い素材によって形成されているものであること、が望ましい。
【００１５】
上記本考案の直管型ＬＥＤランプにおいては、前記管状体の長手方向一端側及び他端側に、それぞれ端子を備えた端子接続部が設けられており、前記管状体が、前記端子接続部に対して相対回転可能であるものであること、が好ましい。
【００１６】
上記本考案の直管型ＬＥＤランプにおいては、前記基板が、短手方向中間部において屈曲あるいは湾曲した形状ものであっても良い。
【００１７】
上記本考案の直管型ＬＥＤランプは、前記ＬＥＤ素子に対向するように配置され透光性を有するカバーを有し、前記カバー及び前記土台の外周部が、それぞれ前記管状体の周方向一部の領域を形成し、前記カバーと前記土台とを組み合わせることにより、前記管状体が形成されるものであることが望ましい。
【００１８】
上記本考案の直管型ＬＥＤランプは、前記ＬＥＤ素子が発する光の明るさを調整する調光装置及び／又は前記ＬＥＤ素子が発する光の色を調整する調色装置を備えているものであってもよい。
【００１９】
上記本考案の直管型ＬＥＤランプは、交流電流を直流電流に変換して前記ＬＥＤ素子に供給可能な変換装置が、前記管状体に内蔵されたものであってもよい。
【考案の効果】
【００２０】
本考案の直管型ＬＥＤランプは、管状体の内側に設けられた土台の挟持部に対し、ＬＥＤ素子が取り付けられた基板の短手方向一端側及び他端側を挟持させることにより、基板の裏面が基板接触部に面接触した状態になる。これにより、ＬＥＤ素子の発光に伴い発生する熱を基板の裏面から土台の基板接触部に対して伝達させ、外部に放出させることができる。また、基板の短手方向両端部を挟持することにより、基板の裏面が基板接触部に対して確実に接触した状態になり、基板と基板接触部との接触領域の略全域において伝熱ムラが生じにくい。したがって、本考案によれば、ＬＥＤ素子の発光に伴い発生する熱を管状体の内部に滞留させることなく効果的に外部に排出可能であり、直管型ＬＥＤランプの長寿命化を図ることが可能である。
【００２１】
また、本考案の直管型ＬＥＤランプは、挟持部が管状体の長手方向に向けて延び、対向した一対の溝によって構成されており、一対の溝に対して基板の短手方向一端側及び他端側を嵌め込むことにより基板を挟持させた構成とされている。これにより、基板の短手方向両端部が、管状体の長手方向に亘って略均一に挟持された状態になり、基板が基板接触部から浮き上がること、及びこれに伴う伝熱不良を確実に防止できる。また、本考案のような構成とすることにより、溝に対して基板をスライドさせることにより基板の着脱を実施できる。そのため本考案の直管型ＬＥＤランプは、組み立て作業を容易かつ確実に行うことができる。
【００２２】
また、本考案の直管型ＬＥＤランプは、基板接触部が基板よりも熱伝導率が高い素材によって形成されているため、発光構造体側において発生した熱をスムーズかつ確実に土台側に熱伝達させ、管状体の外部に放出させることができる。
【００２３】
ここで、本考案の直管型ＬＥＤランプにおいて用いられているＬＥＤ素子は、照射方向に指向性を有する光源である。かかる特性を考慮し、本考案の直管型ＬＥＤランプにおいては、管状体の長手方向一端側及び他端側に設けられた端子接続部に対して管状体を相対回転させることができる構成とされている。これにより、本考案の直管型ＬＥＤランプが取り付けられる照明器具の取付面が、水平方向に対して略平行な面、水平方向に対して略垂直な面、又は水平方向に対して一定の角度を有する面のいずれであったとしても、所望する部分を有効に照射することができる。
【００２４】
本考案の直管型ＬＥＤランプにおいて、基板を短手方向中間部において屈曲あるいは湾曲した形状ものとすることにより、ＬＥＤ素子の発光により複数方向に照射可能となる。これにより、指向性を有するＬＥＤ素子を光源としつつ、照射方向及び照射範囲に幅を持たせることが可能となる。
【００２５】
本考案の直管型ＬＥＤランプにおいては、カバーと土台とを組み合わせることにより管状体が形成され、土台の外周部によって管状体の周方向一部の領域が構成される。そのため、基板の裏面及び土台の基板接触部に伝達した熱を、土台の外周面を介して管状体の外側にスムーズに放出させることができる。したがって、本考案の直管型ＬＥＤランプは、放熱特性に優れ、熱が管状体の内部にこもることによる構成部材の劣化あるいは損傷を抑制することができる。
【００２６】
本考案の直管型ＬＥＤランプは、調光装置及び調色装置のいずれか一方又は双方を内蔵しているため、これらの装置を別途外部に設ける必要がない。また、上述したように、本考案の直管型ＬＥＤランプは、管状体の内部に熱がこもらないため、管状体に内蔵される調光装置あるいは調色装置が熱の影響で故障あるいは誤作動を起こすことがない。したがって、本考案によれば、調光機能あるいは調色機能を備えつつ、シンプルかつ動作安定性に優れた直管型ＬＥＤランプを提供することができる。
【００２７】
本考案の直管型ＬＥＤランプは、交流電流を直流電流に変換してＬＥＤ素子に供給可能な変換装置を管状体に内蔵したものであり、変換装置を別途外部に設ける必要がない。また、本考案の直管型ＬＥＤランプは、管状体の内部に熱がこもらない構造であるため、発光に伴う熱の影響による変換装置の故障等の問題を抑制できる。したがって、本考案によれば、変換装置を内蔵しつつ動作安定性に優れた直管型ＬＥＤランプを提供することができる。
【図面の簡単な説明】
【００２８】
【図１】本考案の一実施形態に係る直管型ＬＥＤランプを示す分解斜視図である。
【図２】図１に示す直管型ＬＥＤランプを示す断面図である。
【図３】図１のＡ−Ａ断面図である。
【図４】（ａ）は端子接続部を構成するソケットの断面図、（ｂ）は同ソケットの側面図、（ｃ）は端子部の断面図、（ｄ）は同端子部の側面図である。
【図５】本考案の変形例に係る直管型ＬＥＤランプを示す断面図である。
【考案を実施するための形態】
【００２９】
以下、本考案の一実施形態に係る直管型ＬＥＤランプ１０について、図面を参照しながら詳細に説明する。直管型ＬＥＤランプ１０は、ＬＥＤ素子２４を光源として発光する直管型のランプである。図１に示すように、直管型ＬＥＤランプ１０は、ＬＥＤ素子２４を備えた発光構造体２０と、発光構造体２０を収容する管状体３０と、端子６４を備えた端子接続部５０，５０と、交流電流を直流電流に変換するための変換装置７０とを備えている。
【００３０】
図１〜図３に示すように、発光構造体２０は、基板２２に対してＬＥＤ素子２４を取り付けたものである。基板２２は、長尺状の板体（細長板状）によって構成された柔軟性のない絶縁体基材によって構成されている。基板２２の素材としては、従来公知の適宜のものを用いることが可能である。具体的には、基板２２は、紙フェノール基板、紙エポキシ基板、ガラスコンポジット基板、ガラスエポキシ基板、テフロン基板、セラミックス基板、あるいはコンポジット基板等によって構成することができる。
【００３１】
ＬＥＤ素子２４は、直流電流を印加することにより発光するものであり、一又は複数（本実施形態では複数）、基板２２に対して取り付けられている。図１に示すように、ＬＥＤ素子２４は、基板２２の短手方向（幅方向）の略中央部において、基板２２の長手方向に略等間隔に複数設けられている。ＬＥＤ素子２４は、それぞれ基板２２の表面２２ａ側に、光軸が基板２２に対して略垂直となるように取り付けられている。
【００３２】
管状体３０は、上述した発光構造体２０を内部に収容可能な筒体である。図１及び図３に示すように、管状体３０は、カバー３２と土台３４とを組み合わせることにより構成される略円筒状の部材である。カバー３２は、例えばポリカーボネート等の樹脂、あるいはガラス等の透光性を有する素材によって構成されている。カバー３２は、断面形状が半円弧状のカバー外周部３６と、係合部３８，３８とを有する長尺状の部材である。カバー外周部３６は、円筒状の管状体３０の周方向一部の領域を形成する部分である。また、係合部３８，３８は、カバー外周部３６の周方向両端部を内径側に折り返した構成とされている。係合部３８，３８は、後に詳述する土台３４の被係合部４６のカバー係合溝４９，４９に対して係合可能とされている。
【００３３】
土台３４は、管状体３０の内側において発光構造体２０を支持するための台座となる部材である。図１及び図２に示すように、土台３４は、カバー３２と略同一の長さを有する長尺体である。土台３４は、略全体が例えばアルミニウム合金等の基板２２よりも熱伝導率の高い素材によって形成されている。土台３４は、外周部４０と、基板接触部４２と、挟持部４４と、被係合部４６とを有する。
【００３４】
図３に示すように、外周部４０は、断面視した状態において半円弧状の形状を有する部分である。外周部４０は、管状体３０の組み立て状態において外部に露出し、管状体３０の周方向一部の領域をなす部分である。また、基板接触部４２は、断面視した状態において土台３４の周方向両端部を結ぶ弦の中間部分に設けられている。基板接触部４２は、管状体３０に対して発光構造体２０を組み付けた状態において、基板２２の裏面２２ｂの略全体が面接触する部分である。
【００３５】
図１及び図３に示すように、挟持部４４は、基板２２の短手方向一端側及び他端側を挟持する部分である。挟持部４４は、上述した基板接触部４２の両脇において対向するように形成された一対の溝４８，４８によって構成されている。溝４８，４８は、管状体３０（土台３４）の長手方向略全長に亘って延び、基板接触部４２側に向けて開口するように形成されている。溝４８，４８の間隔は、基板２２の短手（幅）方向の長さと同一あるいは僅かに大きい程度とされている。また、溝４８，４８の開口幅は、基板２２の厚みと同一、あるいは僅かに大きい程度である。更に、溝４８，４８は、土台３４（管状体３０）の長手方向両端部においても解放されている。そのため、溝４８，４８の長手方向一方側から溝４８，４８間に基板２２を差し込んでスライドして挿入させることにより、基板２２を土台３４に対して装着し、裏面２２ｂが基板接触部４２に接触するように挟持された状態とすることができる。
【００３６】
被係合部４６は、カバー３２の係合部３８と係合するように形成された溝状の部分である。被係合部４６は、挟持部４４をなす溝４８，４８に対し、基板接触部４２の外側に形成されたカバー係合溝４９，４９によって構成されている。カバー係合溝４９，４９に対してカバー３２の係合部３８，３８を差し込んで係合させることにより、カバー３２と土台３４とを一体化させ、略円筒状の管状体３０を形成することができる。
【００３７】
図１及び図２に示すように、端子接続部５０，５０は、管状体３０の長手方向一端側及び他端側に取り付けられている。端子接続部５０は、直管型ＬＥＤランプ１０を電気的に接続するための端子６４を備えている。また、端子接続部５０，５０は、管状体３０の軸心位置を中心として管状体３０に対して相対回転可能なように接続されている。具体的には、端子接続部５０，５０は、管状体３０を例えば０〜１８０°、０〜１２０°、少なくとも０〜９０°の角度範囲で回動可能なように接続されている。
【００３８】
更に詳細に説明すると、端子接続部５０は、ソケット５２と、端子部５４とを連結した構造とされている。図４（ａ），（ｂ）に示すように、ソケット５２は、円筒状部分５６と円板状部分５８とを一体的に形成したものである。円筒状部分５６は、内径が管状体３０の外径と略同一となるように開口した円筒状の部分である。また、円板状部分５８は、円筒状部分５６の軸線方向略中央部において円筒状部分５６の開口領域を閉塞するように形成された円板状の部分である。したがって、ソケット５２は、略Ｈ形状の断面形状を有する。また、円板状部分５８の中心部には、貫通孔５９が形成されている。また、円板状部分５８には、二つの開口部６０，６０が１２０度の角度範囲で円弧状に開口するように形成されている。開口部６０，６０は、互いに対称の位置関係となるように形成されている。
【００３９】
図４（ｃ），（ｄ）に示すように、端子部５４は、外径がソケット５２の円筒状部分５６の内径と略同一の円板状の部材であり、貫通孔６２と、金属製の端子６４，６４とを備えている。貫通孔６２は、ソケット５２の円板状部分５８に設けられた貫通孔５９に対応するように設けられている。端子６４，６４は、端子部５４をなす円板を貫通するように装着された金属製の部材である。端子６４，６４は、それぞれソケット５２の円板状部分５８に設けられた開口部６０，６０に対応する位置に設けられており、周方向に１８０度離れた位置関係にある。
【００４０】
図１及び図２に示すように、端子接続部５０は、ソケット５２をなす円筒状部分５６の一方側に設けられた第一開口部５６ａから端子部５４を挿入し、貫通孔５９，６２に亘ってビス６６を装着してソケット５２と端子部５４とを連結した構成とされている。端子部５４に設けられた端子６４，６４は、それぞれ円板状部分５８に設けられた円弧状の開口部６０，６０に挿通された状態になる。また、円筒状部分５６の他方側に設けられた第二開口部５６ｂには、管状体３０の端部が挿入され、管状体３０とソケット５２とが一体化されている。そのため、開口部６０，６０内における端子６４，６４の可動範囲、すなわち０〜１２０°の角度範囲内で管状体３０を端子接続部５０の端子部５４に対して相対回転させることができる。
【００４１】
変換装置７０は、直流電流を交流電流に変換するＡＣ−ＤＣ変換器である。変換装置７０は、従来公知の構成を有していてよいが、例えば図１及び図２に示すように、コンデンサー７２、整流素子７４及びサージアブソーバ７６等の電子部品の組み合わせによって構成されている。変換装置７０をなす各部品は、基板２２の長手方向一端側に実装されている。変換装置７０をなす部品を土台３４をなす基板接触部４２の表側（カバー３２側）に配置する場合には、発光に伴って部品の影が発現することを防止すべく、端子接続部５０のソケット５２を管状体３０に装着した際に両者が重複する領域、すなわち管状体３０においてソケット５２によって覆われる領域に配置される。本実施形態では、整流素子７４及びサージアブソーバ７６が基板接触部４２の表側（カバー３２側）であって、ソケット５２によって覆われる領域内に配置されている。また、変換装置７０をなす部品は、土台３４をなす基板接触部４２の裏側（図中下方側）に形成された空間内に収容することも可能である。本実施形態では、コンデンサー７２が土台３４の内部空間に収容されている。
【００４２】
本実施形態の直管型ＬＥＤランプ１０は、上述した発光構造体２０を管状体３０内に組み込み、管状体３０の両端に端子接続部５０，５０を取り付けることにより組み立てられる。具体的には、発光構造体２０は、基板２２の裏面２２ｂが土台３４の基板接触部４２側に向く状態として、挟持部４４をなす溝４８，４８の端部からスライドさせることにより装着される。これにより、基板２２の短手方向両端部が、基板２２の略全長に亘って挟持された状態になる。また、管状体３０は、土台３４に設けられたカバー係合溝４９，４９に対し、カバー３２の周方向両端部に設けられた係合部３８，３８を係合させることにより組み立てられる。管状体３０の組み立ては、土台３４に対する発光構造体２０の取り付け前、あるいは取り付け後のいずれの時点で行われても良い。
【００４３】
上述したようにして発光構造体２０の取り付け、及び管状体３０の組み立てが完了した後、管状体３０の両端部に端子接続部５０，５０が取り付けられる。端子接続部５０，５０は、予めソケット５２，５２と端子部５４，５４とを一体化した状態とされる。また、端子部５４，５４に設けられた端子６４，６４は、予め配線６８，６８により基板２２に対して接続される。端子接続部５０，５０は、ソケット５２，５２の第二開口部５６ｂ，５６ｂに管状体３０の両端部を差し込んで固定することにより、管状体３０と一体化される。これにより、直管型ＬＥＤランプ１０の組み立てが完了する。
【００４４】
上述したように、本実施形態の直管型ＬＥＤランプ１０は、管状体３０の内側に設けられた土台３４の挟持部４４により、基板２２の短手方向一端側及び他端側が挟持され、基板２２の裏面２２ｂが基板接触部４２に面接触した状態になっている。そのため、ＬＥＤ素子２４の発光に伴い発生する熱は、裏面２２ｂから土台３４の基板接触部４２に対してスムーズに伝達され、外部に放出される。
【００４５】
また、直管型ＬＥＤランプ１０は、基板２２の短手方向両端部を挟持した構造であるため、基板２２の長手方向両端部を挟持等して保持する場合に比べて裏面２２ｂが基板接触部４２から浮き上がらず確実に接触した状態として保持することができる。そのため、基板２２と基板接触部４２との接触領域の略全域において伝熱ムラが生じにくい。
【００４６】
更に、本実施形態の直管型ＬＥＤランプ１０は、管状体３０の長手方向に向けて延びるように形成された一対の溝４８，４８によって挟持部４４が構成されている。そのため、溝４８，４８に対して基板２２の短手方向一端側及び他端側を嵌め込むことにより、基板２２が管状体３０の長手方向に亘って略均一に挟持された状態になる。これにより、基板２２の裏面２２ｂが基板接触部４２から浮き上がること、及びこれに伴う伝熱不良（放熱不良）を確実に防止できる。したがって、本考案によれば、ＬＥＤ素子２４の発光に伴い発生する熱を管状体３０の内部に滞留させることなく効果的に外部に排出可能であり、直管型ＬＥＤランプ１０の長寿命化を図ることが可能である。また、溝４８，４８に対して基板２２をスライドさせることにより基板２２の着脱を実施できるため、組み立て作業を容易かつ確実に行うことができる。
【００４７】
なお、本実施形態では、一対の溝４８，４８によって挟持部４４を構成した例を示したが、本発明はこれに限定されるものではなく、基板２２の裏面２２ｂが土台３４の基板接触部４２に対して面接触するように保持できる構造であればいかなるものであっても良い。具体的には、溝４８，４８に代えて、基板２２の短手方向両端部を挟持可能な爪等を設け、これを挟持部４４としても良い。
【００４８】
本実施形態の直管型ＬＥＤランプ１０は、基板接触部４２（土台３４）が基板２２よりも熱伝導率が高い素材（本実施形態ではアルミニウム合金）によって形成されている。そのため、発光構造体２０側において発生した熱を、基板２２から基板接触部４２をはじめとする土台３４側にスムーズかつ確実に伝達させ、管状体３０の外部に放出させることができる。
【００４９】
本実施形態の直管型ＬＥＤランプ１０は、管状体３０の両端部に設けられた端子接続部５０に対して管状体３０を相対回転させることができる。そのため、直管型ＬＥＤランプ１０は、設置対象である照明器具の取付面が、水平方向に対して略平行な面、水平方向に対して略垂直な面、又は水平方向に対して一定の角度を有する面のいずれであったとしても、所望する部分を有効に照射するために適切な方向にＬＥＤ素子２４の光軸を向けることができる。なお、本実施形態においては、端子接続部５０を設けることにより、管状体３０を回転させ、ＬＥＤ素子２４の光軸の向きを調整可能とした例を示したが、本発明はこれに限定されるものではなく、管状体３０が回転不可能なものであっても良い。
【００５０】
また、端子接続部５０を設けて管状体３０を回転可能とすることに加えて、あるいは管状体３０を回転可能とすることに代えて、他の構造を採用することによってＬＥＤ素子から発せられる光の照射方向及び照射範囲に幅を持たせることも可能である。具体的には、図５（ａ）に示すように基板２２及び土台３４の基板接触部４２を短手方向中間部において屈曲した形状にすること、あるいは図５（ｂ）に示すように基板２２及び土台３４の基板接触部４２を短手方向中間部において湾曲した形状にすることも可能である。これらの構成とすることにより、ＬＥＤ素子２４の発光に伴う照射方向及び照射範囲に幅を持たせることが可能となる。
【００５１】
本実施形態の直管型ＬＥＤランプ１０は、カバーと土台３４との組み合わせによって管状体３０が形成される。また、管状体３０の一部をなす土台３４の外周部４０が外部に露出された状態になる。そのため、基板２２の裏面２２ｂから土台３４の基板接触部４２に伝達した熱が、土台３４の外周面を介して管状体３０の外側にスムーズに放出される。したがって、直管型ＬＥＤランプ１０は、従来技術のようにヒートシンク等の部材を設けなくても放熱特性に優れ、熱が管状体３０の内部にこもることによる構成部材の劣化あるいは損傷を抑制することができる。
【００５２】
本実施形態の直管型ＬＥＤランプ１０は、交流電流を直流電流に変換してＬＥＤ素子２４に供給可能な変換装置７０を管状体３０に内蔵したものである。そのため、直管型ＬＥＤランプ１０の設置に際し、変換装置７０に相当するものを別途外部に設ける必要がない。また、直管型ＬＥＤランプ１０は、管状体３０の内部に熱がこもらない構造であるため、管状体３０内に配置された変換装置７０が熱の影響により故障等しない。
【００５３】
本実施形態の直管型ＬＥＤランプ１０は、変換装置７０を内蔵したものであるが、本発明はこれに限定されるものではなく、変換装置７０を内蔵していないものであっても良い。また、直管型ＬＥＤランプ１０は、変換装置７０に代えて、あるいは変換装置７０に加えて、他の機器類を管状体３０内に収容したものであっても良い。具体的には、ＬＥＤ素子２４が発する光の明るさを調整する調光装置、及び前記ＬＥＤ素子２４が発する光の色を調整する調色装置のいずれか一方又は双方を備えたものであっても良い。このような構成とすることにより、調光機能あるいは調色機能を備えつつ、シンプルかつ動作安定性に優れた直管型ＬＥＤランプ１０を提供することができる。
【００５４】
以上、本考案の代表的な実施形態について説明したが、それぞれ本考案の技術的思想の範囲内で種々の設計変更が可能である。例えば、管状体３０の断面形状を三角形、四角形あるいは多角形等の円形以外の形状とすることが可能である。また、土台３４に伝達した熱の放出を促進するためのフィン等を土台３４に設けた構成等としても良い。
【００５５】
本発明の直管型ＬＥＤランプは、一般家庭やオフィス、学習塾や研究所等のようにユーザーが所望する箇所を必要最小限の範囲で照射すればよい場所での利用に特に適している。また、管状体を回転可能にした場合、又は基板を屈曲あるいは湾曲させた場合には、照射範囲が広域に亘るため、ショッピングモールや各種ショップ等においても、品物やディスプレイの特定の部分を照射する用途等に利用することができる。
【符号の説明】
【００５６】
１０    直管型ＬＥＤランプ
２０    基板
２０    発光構造体
２２ｂ  裏面
２４    ＬＥＤ素子
３０    管状体
３４    土台
４０    外周部
４２    基板接触部
４４    挟持部
４８    溝
５０    端子接続部
７０    変換装置
【図１】
0003178712.tif 000003
【図２】
0003178712.tif 000004
【図３】
0003178712.tif 000005
【図４】
0003178712.tif 000006
【図５】
0003178712.tif 000007